(57)【要約】【課題】  記録媒体上で、光沢を再現できる範囲の拡大と、光沢を制御することによって生じる実際に再現する色と再現したい色との色差の低減と、を両立するための処理を提供することを目的とする。【解決手段】  画像を表す色信号を取得する第１取得手段と、画像の光沢を表す光沢信号を取得する第２取得手段と、記録媒体の記録材の受容可能量を取得する第３取得手段と、第１領域で記録する光沢記録材の記録量を決定する第１決定手段と、光沢記録材の記録量との総量が前記受容可能量を超えないように、前記第１領域で記録する有色記録材の記録量を決定する第２決定手段と、前記第２決定手段で決定した前記記録量の前記有色記録材を記録することで再現される色と前記色信号が表す色との差分を算出する算出手段と、前記差分を低減するように、第２領域で記録する前記有色記録材の記録量を決定する第３決定手段と、を有することを特徴とする画像処理装置。【選択図】  図５
2018051971.tif 000002
【特許請求の範囲】
【請求項１】
光沢記録材を記録する第１領域と前記光沢記録材を記録しない第２領域とを有する画像を記録媒体上に形成するための画像処理装置であって、
前記画像を表す色信号を取得する第１取得手段と、
前記画像の光沢を表す光沢信号を取得する第２取得手段と、
前記記録媒体の記録材の受容可能量を取得する第３取得手段と、
前記光沢信号に基づいて、前記第１領域で記録する前記光沢記録材の記録量を決定する第１決定手段と、
前記色信号に基づいて、前記光沢記録材の記録量との総量が前記受容可能量を超えないように、前記第１領域で記録する有色記録材の記録量を決定する第２決定手段と、
前記第２決定手段で決定した前記記録量の前記有色記録材を記録することで再現される色と前記色信号が表す色との差分を算出する第１算出手段と、
前記色信号に基づいて、前記差分を低減するように、前記第２領域で記録する前記有色記録材の記録量を決定する第３決定手段と、
を有することを特徴とする画像処理装置。
【請求項２】
前記光沢信号に基づいて、前記画像内の各領域が、前記第１領域と前記第２領域とのどちらの領域であるかを判定する判定手段と、をさらに有することを特徴とする請求項１に記載の画像処理装置。
【請求項３】
前記受容可能量は、前記記録媒体上で記録材が浸透し定着する記録量の上限値であることを特徴とする請求項１又は請求項２に記載の画像処理装置。
【請求項４】
前記有色記録材は有色インクであり、
前記光沢記録材はクリアインクであることを特徴とする請求項１乃至請求項３のいずれか一項に記載の画像処理装置。
【請求項５】
前記有色記録材は有色インクであり、
前記光沢記録材はメタリックインクであることを特徴とする請求項１乃至請求項３のいずれか一項に記載の画像処理装置。
【請求項６】
前記光沢信号に基づいて、前記光沢記録材の前記記録媒体上でのドット配置を表すドット配置データを取得する第４取得手段と、をさらに有し、
前記判定手段は、前記ドット配置データに基づいて、前記画像内の各領域が前記第１領域と前記第２領域とのどちらの領域であるかを判定することを特徴とする請求項１乃至請求項５のいずれか一項に記載の画像処理装置。
【請求項７】
前記光沢信号と前記ドット配置データとが対応付けられたテーブルを取得する第５取得手段と、をさらに有し、
前記第４取得手段は、前記テーブルに基づいて前記ドット配置データを取得することを特徴とする請求項６に記載の画像処理装置。
【請求項８】
前記色信号を、前記色信号が表す色を再現するための仮想的な有色記録材の仮想記録量に変換する変換手段と、をさらに有し、
前記第２決定手段は、前記仮想記録量に基づいて、前記第１領域に記録する前記有色記録材の記録量を決定することを特徴とする請求項１乃至請求項７のいずれか一項に記載の画像処理装置。
【請求項９】
前記受容可能量から前記第１決定手段によって決定された前記光沢記録材の記録量を減算することによって、前記第１領域に記録できる記録材の記録量の残量を算出する第２算出手段と、をさらに有し、
前記第２決定手段は、前記残量に基づいて、前記第１領域で記録する前記有色記録材の記録量を決定することを特徴とする請求項１乃至請求項８のいずれか一項に記載の画像処理装置。
【請求項１０】
前記光沢信号は、前記画像の光沢として、光沢写像性、光沢強度、光の反射方向のいずれか１つ又は組み合わせを表すことを特徴とする請求項１乃至請求項９のいずれか一項に記載の画像処理装置。
【請求項１１】
前記第３決定手段は、前記第２領域における色信号を再現するための前記有色記録材の記録量に、前記差分が表す色を再現するための前記有色記録材の記録量を加算することで、前記第２領域で記録する前記有色記録材の記録量を決定することを特徴とする請求項１乃至請求項１０のいずれか一項に記載の画像処理装置。
【請求項１２】
光沢記録材を記録する第１領域と前記光沢記録材を記録しない第２領域とを有する画像を記録媒体上に形成するための画像処理装置であって、
前記画像を表す色信号を取得する第１取得手段と、
前記画像の光沢を表す光沢信号を取得する第２取得手段と、
前記記録媒体が受容可能な記録材の最大ドット数を取得する第３取得手段と、
前記光沢信号に基づいて、前記第１領域で記録する前記光沢記録材のドット数を決定する第１決定手段と、
前記色信号に基づいて、前記光沢記録材のドット数との総量が前記最大ドット数を超えないように、前記第１領域で記録する有色記録材のドット数を決定する第２決定手段と、
前記第２決定手段で決定した前記ドット数の前記有色記録材を記録することで再現される色と前記色信号が表す色との差分を算出する第１算出手段と、
前記色信号に基づいて、前記差分を低減するように、前記第２領域で記録する前記有色記録材のドット数を決定する第３決定手段と、
を有することを特徴とする画像処理装置。
【請求項１３】
コンピュータを請求項１乃至請求項１２のいずれか一項に記載の画像処理装置の各手段として機能させるためのプログラム。
【請求項１４】
光沢記録材を記録する第１領域と前記光沢記録材を記録しない第２領域とを有する画像を記録媒体上に形成するための画像処理方法であって、
前記画像を表す色信号を取得する第１取得ステップと、
前記画像の光沢を表す光沢信号を取得する第２取得ステップと、
前記記録媒体の記録材の受容可能量を取得する第３取得ステップと、
前記光沢信号に基づいて、前記第１領域で記録する前記光沢記録材の記録量を決定する第１決定ステップと、
前記色信号に基づいて、前記光沢記録材の記録量との総量が前記受容可能量を超えないように、前記第１領域で記録する有色記録材の記録量を決定する第２決定ステップと、
前記第２決定ステップで決定した前記記録量の前記有色記録材を記録することで再現される色と前記色信号が表す色との差分を算出する第１算出ステップと、
前記色信号に基づいて、前記差分を低減するように、前記第２領域で記録する前記有色記録材の記録量を決定する第３決定ステップと、
を有することを特徴とする画像処理方法。
【請求項１５】
光沢記録材を記録する第１領域と前記光沢記録材を記録しない第２領域とを有する画像を記録媒体上に形成するための画像処理方法であって、
前記画像を表す色信号を取得する第１取得ステップと、
前記画像の光沢を表す光沢信号を取得する第２取得ステップと、
前記記録媒体が受容可能な記録材の最大ドット数を取得する第３取得ステップと、
前記光沢信号に基づいて、前記第１領域で記録する前記光沢記録材のドット数を決定する第１決定ステップと、
前記色信号に基づいて、前記光沢記録材のドット数との総量が前記最大ドット数を超えないように、前記第１領域で記録する有色記録材のドット数を決定する第２決定ステップと、
前記第２決定ステップで決定した前記ドット数の前記有色記録材を記録することで再現される色と前記色信号が表す色との差分を算出する第１算出ステップと、
前記色信号に基づいて、前記差分を低減するように、前記第２領域で記録する前記有色記録材のドット数を決定する第３決定ステップと、
を有することを特徴とする画像処理方法。
【発明の詳細な説明】
【技術分野】
【０００１】
本発明は、記録物において色と光沢とを再現するための画像処理技術に関する。
【背景技術】
【０００２】
近年、商業印刷等の分野では、高品質で個性的な印刷物に対する需要が高まっている。これを実現する手段の１つとして、クリアインクやメタリックインクなどのインクを用いて印刷物の光沢を制御する技術がある。例えば、クリアインクを用いて印刷物表面に形成する凹凸の高さを調整することで、光沢を制御することができる。一方、画像において光沢等の表面効果を与えると、効果領域と有色記録材を記録する領域が重なった領域では、有色記録材のみを記録した領域とは異なる色味の画像が形成される場合があった。特許文献１では、光沢に応じて記録する有色記録材の量を決定し、光沢の違いによる色味の変化を低減する技術が開示されている。
【先行技術文献】
【特許文献】
【０００３】
【特許文献１】特開２０１５−９４８２６号公報
【発明の概要】
【発明が解決しようとする課題】
【０００４】
しかしながら、記録媒体ごとに記録可能な記録材の量には上限があり、光沢を再現できる範囲を拡大するために光沢記録材の量を増やしていくと、記録可能な有色記録材の量が減少してしまう。この点について、特許文献１が開示する技術では、光沢記録材の量が多い領域においては所望の色を再現するために必要な量の有色記録材が記録できない場合がある。反対に、有色記録材の量が多い領域においては所望の光沢を再現するために必要な量の光沢記録材が記録できない場合がある。即ち、特許文献１が開示する技術では、光沢を再現できる範囲の拡大と、光沢を制御することによって生じる実際に再現する色と再現したい色との色差の低減と、を両立することができないという課題がある。
【０００５】
本発明は、上記課題に鑑みてなされたものであり、記録媒体上で、光沢を再現できる範囲の拡大と、光沢を制御することによって生じる実際に再現する色と再現したい色との色差の低減と、を両立するための処理を提供することを目的とする。
【課題を解決するための手段】
【０００６】
上記課題を解決するために、本発明に係る画像処理装置は、光沢記録材を記録する第１領域と前記光沢記録材を記録しない第２領域とを有する画像を記録媒体上に形成するための画像処理装置であって、前記画像を表す色信号を取得する第１取得手段と、前記画像の光沢を表す光沢信号を取得する第２取得手段と、前記記録媒体の記録材の受容可能量を取得する第３取得手段と、前記光沢信号に基づいて、前記第１領域で記録する前記光沢記録材の記録量を決定する第１決定手段と、前記色信号に基づいて、前記光沢記録材の記録量との総量が前記受容可能量を超えないように、前記第１領域で記録する有色記録材の記録量を決定する第２決定手段と、前記第２決定手段で決定した前記記録量の前記有色記録材を記録することで再現される色と前記色信号が表す色との差分を算出する第１算出手段と、前記色信号に基づいて、前記差分を低減するように、前記第２領域で記録する前記有色記録材の記録量を決定する第３決定手段と、を有することを特徴とする。
【発明の効果】
【０００７】
本発明により、記録媒体上で、光沢を再現できる範囲の拡大と、光沢を制御することによって生じる実際に再現する色と再現したい色との色差の低減と、を両立することができる。
【図面の簡単な説明】
【０００８】
【図１】画像処理装置１のハードウェア構成の一例を示すブロック図
【図２】画像処理装置１の論理構成の一例を示すブロック図
【図３】色信号と仮想インク量との対応関係を示す色分解ＬＵＴ２０５の一例を示す図
【図４】光沢信号とクリアインクのドット配置との対応関係を示すＬＵＴ２０７の一例を示す図
【図５】画像処理装置１が実行する処理についてのフローチャート
【図６】第１領域の実インク量を算出する処理についてのフローチャート
【図７】第２領域の実インク量を算出する処理についてのフローチャート
【図８】画像処理装置１の論理構成の一例を示すブロック図
【図９】色信号及び光沢信号と実インク量との対応関係を示す色分解ＬＵＴ２０５の一例を示す図
【図１０】画像処理装置１の論理構成の一例を示すブロック図
【図１１】実インク量の合成処理を表した模式図
【図１２】ドット配置を表した模式図
【図１３】ドット配置によって形成される画像の断面模式図
【図１４】ドット配置によって形成される画像の断面模式図
【図１５】仮想分光反射率の例を示す模式図
【発明を実施するための形態】
【０００９】
以下、本発明の実施例について、図面を参照して説明する。尚、以下の実施例は本発明を限定するものではなく、また、以下の実施例で説明されている特徴の組み合わせの全てが本発明の解決手段に必須のものとは限らない。尚、同一の構成については同じ符号を付して説明する。
【００１０】
［実施例１］
本実施例では、カラーインク（有色インク）が記録された画像上の特定の領域のみに光沢インクを記録することによって、印刷物の表面凹凸と相関のある光沢を制御する。尚、本実施例では図１３（ａ）に示すように、カラーインクの表面にクリアインク（光沢インク）による凹凸を形成する例を述べるが、クリアインクの打ち順は図示した一例に限定されない。領域毎のインク量の違いによって、印刷物表面の凹凸を制御可能であれば良く、図１３（ｂ）（ｃ）のように、クリアインクの一部もしくは全てがカラーインクの下地となっても良い。
【００１１】
また、本実施例における光沢インクとは、印刷物において照明からの反射が最も大きくなる正反射方向の近傍に反射する光（光沢）の特性（反射特性）を制御するためのインクである。例えば光沢インクとして、無色のクリアインクや金属のような光沢を表現できるメタリックインクを用いることができる。尚、無色のインクは記録媒体上で表現できる濃度に影響を与えなければ、わずかな色や濁りがあっても良い。本実施例では光沢インクとして、無色透明なクリアインクを用いる。
【００１２】
以下では、インクを色毎にＣｙａｎ、Ｍａｇｅｎｔａ、Ｙｅｌｌｏｗ、Ｂｌａｃｋ、Ｃｌｅａｒ、Ｍｅｔａｌｌｉｃなど英語表記またはシアン、マゼンタ、イエロー、ブラック、クリア、メタリックなど片仮名表記で表す。また、インクの色もしくはそのデータをＣ、Ｍ、Ｙ、Ｋ、ＣＬ、ＭＥなど英大文字で表すものとする。すなわち、Ｃはシアン色またはそのデータを、Ｍはマゼンタ色またはそのデータを、Ｙはイエロー色またはそのデータを、Ｋはブラック色またはそのデータをそれぞれ表すものとする。ＣＬやＭＥも同様である。尚、インク数は上記の一例に限定されず、少なくとも１種類以上のカラーインクとクリアインクを備えれば良い。本実施例において「画素」とは、階調表現できる最少単位のことであり、複数ビットの入力データの画像処理の対象となる最少単位である。
【００１３】
図１は、本実施例における画像処理装置１のハードウェア構成例である。画像処理装置１は、例えばコンピュータであり、ＣＰＵ１０１、ＲＯＭ１０２、ＲＡＭ１０３を備える。ＣＰＵ１０１は、ＲＡＭ１０３をワークメモリとして、ＲＯＭ１０２、ＨＤＤ（ハードディスクドライブ）１５などに格納されたＯＳ（オペレーティングシステム）や各種プログラムを実行する。また、ＣＰＵ１０１は、システムバス１０７を介して各構成を制御する。尚、後述するフローチャートによる処理は、ＲＯＭ１０２やＨＤＤ１５などに格納されたプログラムコードがＲＡＭ１０３に展開され、ＣＰＵ１０１によって実行される。汎用Ｉ／Ｆ（インターフェース）１０４には、シリアルバス１１を介して、マウスやキーボードなどの入力デバイス１２やプリンタ１３が接続される。ＳＡＴＡ（シリアルＡＴＡ）Ｉ／Ｆ１０５には、シリアルバス１４を介して、ＨＤＤ１５や各種記録メディアの読み書きを行う汎用ドライブ１６が接続される。ＣＰＵ１０１は、ＨＤＤ１５や汎用ドライブ１６にマウントされた各種記録メディアを各種データの格納場所として使用する。ビデオＩ／Ｆ１０６には、ディスプレイ１７が接続される。ＣＰＵ１０１は、プログラムによって提供されるＵＩ（ユーザインターフェース）をディスプレイ１７に表示し、入力デバイス１２を介して受け付けるユーザ指示などの入力を受信する。
【００１４】
次に、本実施例における画像処理装置１の論理構成について述べる。図２は、本実施例における画像処理装置１の論理構成を表すブロック図である。図２において、１は画像処理装置を示す。尚、画像処理装置１は例えば一般的なパーソナルコンピュータにインストールされたプリンタドライバによって実施され得る。その場合、以下に説明する画像処理装置１の各部は、コンピュータが所定のプログラムを実行することにより実現されることになる。
【００１５】
画像処理装置１は、データ入力端子２０１、色画像バッファ２０２、光沢画像バッファ２０３、変換部２０４、色分解ＬＵＴ２０５、第１算出部２０６、光沢ＬＵＴ２０７、第２算出部２０８、合成部２０９、データ出力端子２１０を有する。データ入力端子２０１は、色信号を表す色画像データと光沢信号を表す光沢画像データを取得し、色画像バッファ２０２と光沢画像バッファ２０３にそれぞれ格納する。色画像データは解像度が１２００ｄｐｉで、画素毎にＲＧＢ各８ビットのデータ（色信号）を持つ、３プレーンのカラー画像とする。光沢画像データは解像度が３００ｄｐｉで、画素毎に８ビットのデータ（光沢信号）を持つ、１プレーンのグレースケール画像とする。尚、以下で光沢信号はＧｌｏｓｓと表記する。変換部２０４は、色信号と仮想的な有色インクのインク量との対応関係を保持する色分解ＬＵＴ（ルックアップテーブル）２０５を参照し、入力された色信号を仮想インク量Ｖｃ、Ｖｍ、Ｖｙに変換する。第１算出部２０６は、光沢信号とクリアインクのドット配置との対応関係を保持する光沢ＬＵＴ２０７を用いて、クリアインクを記録する領域（第１領域）で記録する実インク量Ｃ１、Ｍ１、Ｙ１、Ｋ１、ＣＬ１を算出する。第２算出部２０８は、光沢ＬＵＴ２０７を用いて、クリアインクを記録しない領域（第２領域）で記録する実インク量Ｃ２、Ｍ２、Ｙ２、Ｋ２を算出する。合成部２０９は、第１領域の実インク量Ｃ１、Ｍ１、Ｙ１、Ｋ１、ＣＬ１と第２領域の実インク量Ｃ２、Ｍ２、Ｙ２、Ｋ２を合成し、入力データに対応した各インクの実インク量Ｃ、Ｍ、Ｙ、Ｋ、ＣＬを表す実インク量データを生成する。データ出力端子２１０は、実インク量データを出力する。
【００１６】
次に、上述した論理構成を備えた本実施例の画像処理装置１における処理の流れについて、図５のフローチャートを用いて説明する。以下、各ステップ（工程）は符号の前にＳをつけて表す。
【００１７】
Ｓ４０１において、データ入力端子２０１は、色画像データを取得し、色画像バッファ２０２に格納する。Ｓ４０２において、データ入力端子２０１は、光沢画像データを取得し、光沢画像バッファ２０３に格納する。
【００１８】
Ｓ４０３において、変換部２０４は、色画像バッファ２０２より取得した色画像データが表す色信号（ＲＧＢ値）を仮想インク量（仮想記録量）Ｖｃ、Ｖｍ、Ｖｙへと変換する。本実施例における仮想インクとは、実際のインクではなく、色信号が表す色を再現するのに適した吸収波長帯をもつ仮想的な有色インクを示す。本実施例では、４８０ｎｍ〜７３０ｎｍに吸収波長帯を持つｙ、３８０ｎｍ〜４８０ｎｍ及び５８０ｎｍ〜７３０ｎｍに吸収波長帯を持つｍ、３８０ｎｍ〜５８０ｎｍに吸収波長帯を持つｃの３種類の仮想インクを用いる。仮想インクの詳細については後述する。一方、実インク量は、実際に画像の形成に用いるインクの記録量とする。本ステップでは、色信号ＲＧＢと仮想インクの記録量との対応関係を示す色分解ＬＵＴ２０５を参照することで、各画素の色信号Ｒ、Ｇ、Ｂを仮想インク量Ｖｃ、Ｖｍ、Ｖｙに変換する。色分解ＬＵＴ２０５の一例を図３に示す。
【００１９】
Ｓ４０４において、第１算出部２０６は、仮想インク量Ｖｃ、Ｖｍ、Ｖｙと光沢信号Ｇｌｏｓｓとに基づいて、第１領域で記録する実インク量Ｃ１、Ｍ１、Ｙ１、Ｋ１、ＣＬ１を算出する。さらに、クリアインクの記録を優先したことにより発生する色差ΔＶｃ、ΔＶｍ、ΔＶｙを算出する。Ｓ４０４の処理の詳細については後述する。Ｓ４０５において、第２算出部２０８は、仮想インク量Ｖｃ、Ｖｍ、Ｖｙと光沢信号ＧｌｏｓｓとＳ４０４で算出された色差ΔＶｃ、ΔＶｍ、ΔＶｙに基づいて、第２領域で記録する実インク量Ｃ２、Ｍ２、Ｙ２、Ｋ２を算出する。Ｓ４０５の処理の詳細については後述する。
【００２０】
Ｓ４０６において、合成部２０９は、第１領域の実インク量Ｃ１、Ｍ１、Ｙ１、Ｋ１、ＣＬ１と第２領域の実インク量Ｃ２、Ｍ２、Ｙ２、Ｋ２とを合成（加算処理）することで、各インクの実インク量を表す実インク量データを生成する。合成後の実インク量データが表す実インク量をＣ、Ｍ、Ｙ、Ｋ、ＣＬとし、各画素において２つの実インク量データから以下の式（１Ａ）〜（１Ｅ）によって決定する。
Ｃ＝Ｃ１＋Ｃ２・・・式（１Ａ）
Ｍ＝Ｍ１＋Ｍ２・・・式（１Ｂ）
Ｙ＝Ｙ１＋Ｙ２・・・式（１Ｃ）
Ｋ＝Ｋ１＋Ｋ２・・・式（１Ｄ）
ＣＬ＝ＣＬ１・・・式（１Ｅ）
【００２１】
図１１（ａ）に第１領域の実インク量Ｃ１、Ｍ１、Ｙ１、Ｋ１、ＣＬ１の一例を示し、図１１（ｂ）に第２領域の実インク量Ｃ２、Ｍ２、Ｙ２、Ｋ２の一例を示す。また、図１１（ｃ）に合成後の実インク量Ｃ、Ｍ、Ｙ、Ｋ、ＣＬの一例を示す。
【００２２】
以上で色信号と光沢信号に対する一連の実インク量の決定処理が完了する。次に、Ｓ４０４とＳ４０５とにおける処理の詳細について説明する。
【００２３】
まず、第１領域の実インク量の算出処理（Ｓ４０４）について、図６のフローチャートを用いて詳細に説明する。Ｓ４０４では色信号ＲＧＢと光沢信号Ｇｌｏｓｓを基に、第１領域で記録する実インク量Ｃ１、Ｍ１、Ｙ１、Ｋ１、ＣＬ１と色差情報Δｃ、Δｍ、Δｙを算出する。
【００２４】
Ｓ４０４１において、光沢信号Ｇｌｏｓｓとクリアインクの記録媒体上でのドット配置との対応関係を保持する光沢ＬＵＴ２０７を参照し、クリアインクのドット配置を表すドット配置データを取得する。光沢ＬＵＴ２０７の一例を図４（ａ）に示す。光沢ＬＵＴ２０７では、光沢信号の値とそれに応じたクリアインクの記録量とドット配置とを保持している。光沢信号に応じたクリアインクのドット配置は、例えば以下の方法により作成する。まず、予めドット配置を固定しクリアインクの量を複数変えてチャートを印字し、光沢を測定する。そして、測定したクリアインク量と光沢の関係を基に、光沢信号に応じたドット配置を決定する。クリアインクのドット配置データの一例を図４（ａ）の１０４２ａに示す。ドット配置データは、光沢画像データを色画像データと同一解像度に変換処理した後の４×４画素において、クリアインクを記録する画素（第１領域）か記録しない画素（第２領域）かを示す２値データである。４×４画素の領域内には、第１領域と第２領域を両方含む。尚、図４に示す光沢値に応じたドット配置は一例であり、図示した一例に限定されない。光沢を制御するのに対し、好適なドット配置であれば良く、例えば図４（ａ）の１０４２ｂに示すようにしても良い。
【００２５】
以降の処理（Ｓ４０４２〜Ｓ４０４５）は、光沢画像データの１画素に対応した色画像データの４×４画素を１つのエリアとし、色画像データ内の各エリアを順次選択する。エリア選択後に、Ｓ４０４１で取得したドット配置データを基に、選択したエリア内の各画素が第１領域か第２領域かを判定する。上記の判定処理によって第１領域と判定された画素について、第１領域で記録する実インク量の算出を行う。エリアの選択と処理は、全てのエリアを処理するまで繰り返す。全てのエリアの処理を完了後、Ｓ４０５に進む。
【００２６】
次に、選択されたエリア内の画素が第１領域と判定された画素における第１領域の実インク量の算出処理について述べる。
【００２７】
Ｓ４０４２において、図４（ａ）に示す光沢ＬＵＴ２０７を参照して光沢信号Ｇｌｏｓｓの値に対応したクリアインクの実インク量ＣＬ１を決定する。Ｓ４０４３において、予め保持する最大記録量ｉｎｋ＿ＭａｘとＳ４０４２で決定したＣＬ１の値から、処理対象となる画素で記録可能な実インク量の残量ｉｎｋ＿Ｒｅｓｔを式（２）の減算によって算出する。尚、最大記録量（受容可能量又は記録媒体が受容可能な記録材の記録量とも呼ぶ）はその画素においてインクを記録しても溢れず浸透定着可能な最大のインクの総量（上限値）である。最大記録量ｉｎｋ＿Ｍａｘには、例えば、インク量を複数変えて作成したパッチを含むチャートを印字し、印字結果よりインクが記録媒体上で溢れず浸透定着可能なインク量を求め、格納する。尚、最大記録量ｉｎｋ＿Ｍａｘは、印字する記録媒体や印字方法毎に複数保持しておくと良い。尚、本実施例における最大記録量は、予め装置の内部に保持させておいたものを取得して用いたが、ＨＤＤ１５などの外部記録装置に保持させたものを取得して用いても良い。
ｉｎｋ＿Ｒｅｓｔ＝ｉｎｋ＿Ｍａｘ−ＣＬ１・・・式（２）
【００２８】
尚、印刷物上で画像の色を表す色画像の粒状性をより好適にするためには中〜高濃度部にかけてできるだけ紙白部を減らすことが望ましい。そのため、図４（ａ）に示す光沢ＬＵＴ２０７で保持するクリアインクの実インク量ＣＬ１の最大値は、最大記録量ｉｎｋ＿Ｍａｘよりも少ないことが望ましい。
【００２９】
Ｓ４０４４において、色画像データ内で処理対象となった画素の仮想インク量Ｖｃ、Ｖｍ、Ｖｙと、Ｓ４０４３で算出した残量ｉｎｋ＿Ｒｅｓｔから対象画素で記録するカラーインクの実インク量Ｃ１、Ｍ１、Ｙ１、Ｋ１を算出する。本実施例では、予め実インク量Ｃ、Ｍ、Ｙ、Ｋのそれぞれと仮想インク量Ｖｃ、Ｖｍ、Ｖｙとの対応関係を予め保持し、この関係に基づき実インク量を決定する。
【００３０】
以降では、まず、本実施例における仮想インクとそのインク量の定義を述べ、次に、実インク量と仮想インク量との関係を求める方法について述べる。最後に、上記の関係を基に、仮想インク量から実インク量を決定する方法について述べる。
【００３１】
最初に、以下で使用する用語を定義する。波長をλ、分光反射率をＲ（λ）で表す。Ｄ（λ）＝−ｌｏｇ１０Ｒ（λ）により変換した値Ｄ（λ）を「分光濃度」と呼ぶ。また、分光濃度Ｄ（λ）を任意区間の波長ブロックに区切り、ブロック内の分光濃度を平均化した値を「ブロック濃度」と呼ぶ。また、イエロー、マゼンタ、シアンに対応する波長帯（例えば、３８０〜４８０ｎｍ、４８０〜５８０ｎｍ、５８０〜７００ｎｍ）毎のブロック濃度Ｄｙ、Ｄｍ、Ｄｃを「仮想ブロック濃度」と呼ぶ。さらに、仮想ブロック濃度Ｄｙ、Ｄｍ、Ｄｃに対応する分光反射率Ｒｙ（λ）、Ｒｍ（λ）、Ｒｃ（λ）を「仮想分光反射率」と呼ぶ。図１５に、仮想分光反射率Ｒｙ（λ）、Ｒｍ（λ）、Ｒｃ（λ）の一例を示す。本実施例における「仮想インク」とは、分光反射率が上記の仮想分光反射率Ｒｙ（λ）、Ｒｍ（λ）、Ｒｃ（λ）となる仮想的なインクｃ、ｍ、ｙを意味する。
【００３２】
次に、実インクと仮想インクとの対応関係を取得する方法について述べる。まず、各色の実インクを任意の実インク量αで紙面上に記録した場合の分光反射率を測定し、ブロック反射率を算出し、ブロック濃度Ｄｙ、Ｄｍ、Ｄｃに変換する。Ｃインクの実インク量がαのときのブロック濃度をＣα＿Ｄｃ、Ｃα＿Ｄｍ、Ｃα＿Ｄｙ、仮想インク量をＶｃ、Ｖｍ、Ｖｙとする。さらにブロック濃度Ｄｉ＝２．０の時の仮想インク量Ｖｉ＝１００とし、以下の式（３Ａ）〜（３Ｃ）により、Ｃインクの実インク量についての各仮想インク量の係数Ｃ＿Ｖｃ、Ｃ＿Ｖｍ、Ｃ＿Ｖｙを算出する。
Ｃ＿Ｖｃ＝（Ｃ＿Ｄｃ／２．０）／α・・・式（３Ａ）
Ｃ＿Ｖｍ＝（Ｃ＿Ｄｍ／２．０）／α・・・式（３Ｂ）
Ｃ＿Ｖｙ＝（Ｃ＿Ｄｙ／２．０）／α・・・式（３Ｃ）
【００３３】
Ｍ、Ｙ、Ｋについても同様の方法で各仮想インク量の係数を算出する。上記の実インク量に対する各仮想インク量の係数を実インク量と仮想インク量との関係として保持する。
【００３４】
次に、実インク量に対する各仮想インク量の係数を用い、色画像データ内で処理対象の画素の仮想インク量Ｖｃ、Ｖｍ、Ｖｙと残量ｉｎｋ＿Ｒｅｓｔとから第１領域で記録するカラーインクの実インク量Ｃ１、Ｍ１、Ｙ１、Ｋ１を算出する方法について述べる。
【００３５】
本実施例では、有色インクの優先順位を決定し、決定した優先順位に基づいて残量ｉｎｋ＿Ｒｅｓｔ以下の実インク量となるように第１領域で記録するカラーインクの実インク量Ｃ１、Ｍ１、Ｙ１、Ｋ１を決定していく。
【００３６】
まず有色インクの優先順位の決定方法について述べる。有色インクの中で、実インク量に対する各仮想インク量の係数の累計が大きく、少ないインク量で濃度を出すことが可能な無彩色のインク（本実施例ではＫインク）を最優先に選択する。無彩色のインクを選択した後は、選択後に残る仮想インク量Ｖｃ、Ｖｍ、Ｖｙの中で最も多い仮想インク量に対応する有色インクを選択する。例えば、Ｖｃが最も多く残っている場合にはＣインクを優先して実インク量を決定する。
【００３７】
次に、上記の優先順位によって選択された有色インクを基に、仮想インク量から実インク量を決定していく方法について述べる。
【００３８】
選択されたインクをｉ（ｉ＝Ｃ、Ｍ、Ｙ、Ｋ）として説明する。まずｉの実インク量に対する各仮想インク量の係数ｉ＿Ｖｃ、ｉ＿Ｖｍ、ｉ＿Ｖｙを取得する。次に、選択されたインクによる実インク量をｉｘ、既に算出された実インク量の累計をｉｔｏｔａｌとし、上記の係数を基に以下の条件式（４Ａ）〜（４Ｄ）を満たす中で最大となる実インク量ｉｘを算出する。ｉｘは０から少しずつ増やしていく。
ｉｘ×ｉ＿Ｖｃ≦Ｖｃ・・・式（４Ａ）
ｉｘ×ｉ＿Ｖｍ≦Ｖｍ・・・式（４Ｂ）
ｉｘ×ｉ＿Ｖｙ≦Ｖｙ・・・式（４Ｃ）
ｉｘ≦ｉｎｋ＿Ｒｅｓｔ−ｉｔｏｔａｌ・・・式（４Ｄ）
【００３９】
上記の実インク量ｉｘの算出を、全てのインクに対し完了するもしくは式（４Ｄ）の等号を持たすまで繰り返し行う。
【００４０】
以上の処理により、仮想インク量Ｖｃ、Ｖｍ、Ｖｙと残量ｉｎｋ＿Ｒｅｓｔから第１領域で記録するカラーインクの実インク量Ｃ１、Ｍ１、Ｙ１、Ｋ１を算出する。
【００４１】
Ｓ４０４５において、Ｓ４０４４で決定した実インク量Ｃ１、Ｍ１、Ｙ１、Ｋ１で再現される色と対象画素の仮想インク量ｃ、ｍ、ｙで再現される色との色差ΔＶｃ、ΔＶｍ、ΔＶｙを算出する。まずＳ４０４４で用いた実インクと仮想インクｃ、ｍ、ｙとの対応関係に基づいて、Ｓ４０４４で決定した実インク量を仮想インク量Ｖｃ’、Ｖｍ’、Ｖｙ’に変換処理する。変換したＶｃｊ’、Ｖｍｊ’、Ｖｙｊ’（ｊは対象となる画素の位置情報）と仮想インク量Ｖｃｊ、Ｖｍｊ、Ｖｙｊの差分を以下の式（５Ａ）〜（５Ｃ）により、画素毎に算出する。
ΔＶｃｊ＝Ｖｃｊ−Ｖｃｊ’・・・式（５Ａ）
ΔＶｍｊ＝Ｖｍｊ−Ｖｍｊ’・・・式（５Ｂ）
ΔＶｙｊ＝Ｖｙｊ−Ｖｙｊ’・・・式（５Ｃ）
【００４２】
算出した画素毎の色差情報ΔＶｃｊ、ΔＶｍｊ、ΔＶｙｊからエリア毎の累計値を算出する。算出した累計値をΔＶｃｔ、ΔＶｍｔ、ΔＶｙｔ、エリア内の第２領域の画素数をｎとし、以下の式（６Ａ）〜（６Ｃ）により、第１領域において発生する色差を、第２領域の画素毎に均等に分配した色差情報ΔＶｃ、ΔＶｍ、ΔＶｙを算出する。
ΔＶｃ＝ΔＶｃｔ／ｎ・・・式（６Ａ）
ΔＶｍ＝ΔＶｍｔ／ｎ・・・式（６Ｂ）
ΔＶｙ＝ΔＶｙｔ／ｎ・・・式（６Ｃ）
【００４３】
算出した色差情報ΔＶｃ、ΔＶｍ、ΔＶｙはＳ４０５に送られる。
【００４４】
以上説明した処理制御を行うことで、光沢信号に応じたクリアインクの記録を優先した第１領域の実インク量を算出することができる。次に述べる第２領域の実インク量の算出では、第１領域でクリアインクの記録を優先したために発生した色差ΔＶｃ、ΔＶｍ、ΔＶｙを補うようにインク量を決定する。
【００４５】
第２領域の実インク量の算出処理（Ｓ４０５）について、図７のフローチャートを用いて詳細に説明する。Ｓ４０５では、色信号Ｒ、Ｇ、Ｂを基に決定された仮想インク量Ｖｃ、Ｖｍ、ＶｙとＳ４０４で算出された色差情報ΔＶｃ、ΔＶｍ、ΔＶｙを基に、第２領域で記録する実インク量Ｃ２、Ｍ２、Ｙ２、Ｋ２を算出する。
【００４６】
Ｓ４０５１において、Ｓ４０４１と同様に、光沢信号Ｇｌｏｓｓとクリアインクの記録媒体上でのドット配置との対応関係を保持する光沢ＬＵＴ２０７を参照し、クリアインクのドット配置を表すドット配置データを取得する。
【００４７】
以降の処理（Ｓ４０５２〜Ｓ４０５３）は、Ｓ４０４１と同様に判定処理を行い、上記の判定処理によって第２領域と判定された画素について、実インク量の算出を行う。Ｓ４０４と同様に、全てのエリアの処理を完了後、Ｓ４０６に進む。
【００４８】
Ｓ４０５２において、Ｓ４０４で算出した処理対象となる画素の色差情報ΔＶｃ、ΔＶｍ、ΔＶｙを取得する。Ｓ４０５３において、色画像データのうち処理対象となる画素の仮想インク量Ｖｃ、Ｖｍ、Ｖｙと、Ｓ４０５２で取得した色差情報ΔＶｃ、ΔＶｍ、ΔＶｙとを加算する。加算した仮想インク量を基に実インク量を算出し、算出した実インク量を第２領域で記録するカラーインクの実インク量Ｃ２、Ｍ２、Ｙ２、Ｋ２とする。仮想インク量から実インク量を算出する方法は、Ｓ４０４と同様のため、説明を省略する。
【００４９】
以上説明した処理制御を行うことで、クリアインクの記録を優先し第１領域で発生した色差を考慮して、第２領域におけるカラーインクの実インク量Ｃ２、Ｍ２、Ｙ２、Ｋ２を算出することができる。
【００５０】
上記の処理制御を行うことで、第１領域では光沢の制御を重視しクリアインクのインク量を優先的に決定する。さらに、第２領域では第１領域においてクリアインクを優先したことによって発生した色差を補うようにカラーインクのインク量を決定する。これにより、光沢の制御範囲の拡大と領域毎の色差低減を実現し、記録媒体上で色の再現と光沢の再現を両立することができる。
【００５１】
尚、本実施例では、光沢画像データが各画素に光沢を表す光沢信号を有する例を述べたが、上記の一例に限定されない。光沢信号は、照明からの反射が最も大きくなる正反射の近傍に反射する光（光沢）の特性であり、かつ、クリアインクを用いた構造を印刷物上で形成することで制御可能な特性であれば良い。例えば、光沢写像性や、正反射近傍の反射光強度（光沢強度）であっても良い。光沢強度を制御するにはメタリックインクを用いるのが好適である。図４（ｂ）に光沢強度とメタリックインク量との対応関係を示す光沢ＬＵＴ２０７の一例を示す。メタリックインク（ＭＥ）による高反射層の厚みが大きくなると光沢強度が上がるため、入力された光沢強度に応じて高反射層が厚くなるように実インク量を光沢ＬＵＴ２０７に保持する。ドット配置は、例えば６００ｄｐｉの１画素（１２００ｄｐｉの２×２画素）単位を１エリアとして保持する（ドット配置１６０１ａ）。
【００５２】
あるいは、ドットの打込み順（上下の配置）を制御することで光沢強度を制御しても良い。図１３（ｄ）（ｅ）にドットの打込み順（上下の配置）で光沢強度を制御する例を示す。ドット配置１６０１ａの点線部における断面模式図を図１３（ｄ）（ｅ）に示す。図１３（ｄ）に示すようにメタリックインクをカラーインクの下に配置、もしくは図１３（ｅ）のように高反射層とカラーインクの記録画素を並置することで光沢強度を制御する。
【００５３】
あるいは、入力とする光沢は正反射光の反射方向であっても良い。例えば、入力された正反射光の反射方向に応じて、無色のクリアインクで記録媒体の表面に形成するラインスクリーン状の凹凸層の傾き（ラインスクリーン角度）を制御する。図４（ｃ）は入力された正反射光の反射方向とクリアインクのドット配置の対応関係を示す光沢ＬＵＴ２０７の例である。ここでは、ドット配置として７５ｄｐｉの１画素（１２００ｄｐｉの１６×１６画素）単位を１エリアとしたパターンを保持する。例えば、図４（ｃ）に示すように、ラインスクリーン状の凹凸層の傾きが異なるドット配置（１０７２ａ〜ｄ）を複数保持する。
【００５４】
あるいは、ドットの打込み順（上下の配置）を制御することで正反射光の反射方向を制御しても良い。上記の場合には、入力される反射方向に因らず、一定のクリアインク量ＣＬ＝２００とドット配置１０７２ｃを用いる。ドット配置１０７２ｃを用いた場合の断面模式図を図１４（ａ）（ｂ）（ｃ）に示す。図１４（ａ）（ｂ）（ｃ）に示すように、クリアインク内でのカラーインク（またはメタリックインク）の位置を変えることで反射面の傾きを制御し、入力された正反射光の反射方向に応じた表現を可能とする。
【００５５】
尚、本実施例では、入力される光沢信号は１種類であったが、上記の一例に限定されない。クリアインクを用いることで２つの光沢特性を組み合わせた構造を印刷物上に形成可能であれば、入力として２種類以上の光沢信号を組み合わせた複数プレーンのデータを用いても良い。
【００５６】
尚、本実施例では、第１領域で発生した色差を第２領域の各画素に均等に分配したが上記の一例に限定されない。第１領域からの距離に応じて色差が分配される割合を制御しても良い。例えば、距離が遠いほど色差が分配される割合を少なくしても良い。また、色差を局所的に分配し、分配される画素の配置が視認されにくいパターンとなるようにしても良い。
【００５７】
尚、本実施例では、色を表現するための有色記録材として有色インクを用いたが、有色トナー等の記録材でも構わない。また、光沢を表現するための光沢記録材として光沢インクを用いたが、光沢トナーでも構わない。光沢トナーとして、例えば、クリアトナーやメタリックトナー等を用いることができる。
【００５８】
［実施例２］
実施例１では、色信号を仮想インク量ＶｃＶｍＶｙに変換し、仮想インク量ＶｃＶｍＶｙから実インク量を計算によって求める方法について説明した。本実施例では、より短時間で実インク量を算出するために、予め、画像内の第１領域と第２領域とのそれぞれにおいて色信号と実インク量とが対応付けられたＬＵＴを保持する例について述べる。
【００５９】
実施例２における画像処理装置１の論理構成を表すブロック図を図８に示す。尚、画像処理装置１内の２０１〜２０３、２０８、２０９はそれぞれ、実施例１における２０１〜２０３、２０９、２１０と同一のため、説明を省略する。実施例１と異なる、２０４〜２０７を主に説明する。
【００６０】
第１算出部２０４は、色信号Ｒ、Ｇ、Ｂと光沢信号Ｇｌｏｓｓを基に、第１領域における色信号及び光沢信号と実インク量との関係を保持する第１領域ＬＵＴ２０５を参照し、第１領域における実インク量Ｃ１、Ｍ１、Ｙ１、Ｋ１、ＣＬ１を決定する。具体的には、実施例１と同様に、光沢信号Ｇｌｏｓｓを基に第１領域ＬＵＴ２０５を参照し、クリアインクのドット配置データを取得し、対象となる画素が第１領域か否かを判定する。第１領域と判定された画素に対し、対応する色信号Ｒ、Ｇ、Ｂと光沢信号Ｇｌｏｓｓを基にＬＵＴ２０５を参照して、第１領域における実インク量Ｃ１、Ｍ１、Ｙ１、Ｋ１、ＣＬ１を決定する。
【００６１】
ＬＵＴ２０５の一例を図９（ａ）に示す。ＬＵＴ２０５の作成方法を以下に述べる。まず、光沢信号Ｇｌｏｓｓを表現するために必要なクリアインク量とドット配置の下地となるカラーインク量を、クリアインクとカラーインクとの合計量が最大記録量ｉｎｋ＿Ｍａｘよりも少ない条件となる複数の水準を含むチャートを印字する。次に、印字したチャートの分光反射率Ｒ＿ｉｎ（λ）を測定する。測定した分光反射率Ｒ＿ｉｎ（λ）と色信号とで目標とする分光反射率Ｒ＿ｔａｒｇｅｔ（λ）とが最も近い条件となるカラーインク量を探索し、ＬＵＴ２０５に格納する。
【００６２】
第２算出部２０６は、色信号ＲＧＢと光沢信号Ｇｌｏｓｓを基に、第２領域における色信号及び光沢信号と実インク量との対応関係を示す第２領域ＬＵＴ２０７を参照し、第１領域における実インク量Ｃ２、Ｍ２、Ｙ２、Ｋ２を決定する。具体的には、具体的には、実施例１と同様に、光沢信号Ｇｌｏｓｓを基に第２領域ＬＵＴ２０７を参照し、クリアインクのドット配置データを取得し、対象となる画素が第２領域か否かを判定する。第２領域と判定された画素に対し、対応する色信号Ｒ、Ｇ、Ｂと光沢信号Ｇｌｏｓｓを基にＬＵＴ２０７を参照して、第２領域における実インク量Ｃ２、Ｍ２、Ｙ２、Ｋ２を決定する。
【００６３】
ＬＵＴ２０７の一例を図９（ｂ）に示す。ＬＵＴ２０７の作成方法を以下に述べる。
まず、予め作成したＬＵＴ２０５を参照し、ＬＵＴ２０５のカラーインク量のチャートを印字し、分光反射率Ｒ＿ｉｎ’（λ）を測定する。次に、カラーインクが最大記録量ｉｎｋ＿Ｍａｘよりも少ない条件となる複数の水準を含むチャートを印字し、分光反射率Ｒ＿ｉｎ’’（λ）を測定する。最後に、Ｒ＿ｉｎ’（λ）と分光反射率Ｒ＿ｔａｒｇｅｔ（λ）との加算値が最も近い条件となる分光反射率Ｒ＿ｉｎ’’（λ）を探索し、その分光反射率Ｒ＿ｉｎ’’（λ）を実現するカラーインク量をＬＵＴ２０７に格納する。
【００６４】
以上、説明した処理制御を行うことで、記録媒体上で色の再現と光沢の再現とを両立するための光沢インク及び有色インクのインク量を決定することができる。
【００６５】
尚、本実施例では光沢信号Ｇｌｏｓｓ毎に実インク量を保持するＬＵＴの例を述べたが上記の一例に限定されない。例えば、任意の光沢信号Ｇｌｏｓｓにおける実インク量のみを保持し、その他の光沢信号Ｇｌｏｓｓにおける実インク量は光沢信号Ｇｌｏｓｓの違いによるクリアインクの量の差分を基に計算によって算出しても良い。
【００６６】
［実施例３］
実施例１、２では実インク量を決定することで光沢を制御できる範囲の拡大と領域毎の色差の低減とを両立する方法について説明した。本実施例では、実インク量からインクドット配置を決定する際に第１領域を優先して決定し、その結果に基づいて第２領域のインクドットの配置を決定する方法について述べる。また、ドットの重なり順を制御するため、記録媒体上の同一領域を複数回の走査にて画像生成するマルチパス走査方式（記録走査数をｐと記す）を用いる。
【００６７】
実施例３における画像処理装置１の論理構成を表すブロック図を図１０に示す。尚、画像処理装置１内の２０１〜２０５、２０７、２１０については実施例１と同一のため、説明を省略する。実施例１と異なる、第１決定部２０６、第２決定部２０８、合成部２０９を主に説明する。
【００６８】
第１決定部２０６及び第２決定部２０８が決定するインクのドット配置を表すドット配置データは、入力された色画像データ内の対応画素において、インクドットを記録するか否かを表現する２値データであり、インクの色毎に決定する。また、本実施例では、記録媒体上で８回の記録走査を行って画像を完成させるマルチパス記録方式を想定したドット配置を決定する。そのため、ドット配置は各インクの記録走査毎に決定し、１色につき８パターン、Ｃ、Ｍ、Ｙ、Ｋ、ＣＬの５色について計４０パターンのドット配置を決定する。
【００６９】
尚、本実施例では入力される色画像データの解像度とドット配置データの解像度が同一な条件の場合について述べるが、ドット配置データの解像度は上記の一例に限定されない。ドット配置データに基づいてインクドットを記録するプリンタで表現可能な解像度であれば良く、色画像データの解像度よりも高解像度であっても良い。以下に第１決定部２０６、第２決定部２０８、合成部２０９の詳細について述べる。
【００７０】
第１決定部２０６は、仮想インク量Ｖｃ、Ｖｍ、Ｖｙと光沢信号Ｇｌｏｓｓを基に、第１領域においてインクドットを記録するか否かを定めた各インクのドット配置ＨＣ１、ＨＭ１、ＨＹ１、ＨＫ１、ＨＣＬ１を決定する。説明の簡略化のため、以下では前記最大記録量ｉｎｋ＿Ｍａｘをドット数に変換した最大ドット数Ｎ＿Ｍａｘをインク量制限として用いる。
【００７１】
実施例１と同様に、光沢信号Ｇｌｏｓｓを基に光沢ＬＵＴ２０７を参照し、クリアインクのドット配置データを取得する。そのドット配置データに基づいて、対象となる画素が第１領域か否かを判定し、第１領域と判定された画素に対し、ドット配置ＨＣ１、ＨＭ１、ＨＹ１、ＨＫ１、ＨＣＬ１の決定処理を行う。
【００７２】
ドット配置ＨＣ１、ＨＭ１、ＨＹ１、ＨＫ１、ＨＣＬ１の決定処理では、まず仮想インク量Ｖｃ、Ｖｍ、Ｖｙと光沢信号Ｇｌｏｓｓを基に、インク色毎の優先順位に基づいて順次、インク毎のドット数を算出する。ドット数の算出はドット数の累計が最大ドット数Ｎ＿Ｍａｘを超えるか、全てのインク色の記録量をドット数に変換処理するまで行う。上述したように、最大ドット数Ｎ＿Ｍａｘは、最大記録量ｉｎｋ＿Ｍａｘをドット数（記録媒体が受容可能な記録材のドット数）に変換したものである。ドット数への変換は、最大記録量ｉｎｋ＿Ｍａｘを全インク（Ｃ、Ｍ、Ｙ、Ｋ、ＣＬ）に均等に分配し、分配したインク量を後述するドット数算出方法を用いて行う。また、最大ドット数Ｎ＿Ｍａｘの決定方法は上記の一例に限定されない。最大記録量ｉｎｋ＿Ｍａｘと同様に、複数水準の記録ドット数のパッチを含むチャートを印字し、インクが記録媒体上で溢れず浸透し定着可能なパッチに対応する記録ドット数でも良い。さらに、最大ドット数Ｎ＿Ｍａｘは最大記録量ｉｎｋ＿Ｍａｘと同様に、印字する記録媒体や印字方法毎に複数保持しておくと良い。最後に算出したドット数を記録走査毎に分配処理することで決定する。
【００７３】
本実施例では、実施例１と同様に、ＣＬインク、無彩色のＫインクの順にドット数の算出を行う。上記２種のインクをドット数に変換した後に、残る理想インク量Ｖｃ、Ｖｍ、Ｖｙの中で最大となる仮想インク量に対応する色のインクをドット数に変換処理する。尚、光沢信号Ｇｌｏｓｓと仮想インク量Ｖｃ、Ｖｍ、Ｖｙより、実インク量Ｃ、Ｍ、Ｙ、Ｋ、ＣＬを算出する方法は実施例１と同様のため説明を省略する。
【００７４】
次に、優先順位に基づいて選択されたインクをドット数に変換処理する方法を述べる。本実施例では、カラーインクとクリアインクとの２層に分離して記録するため、選択されたインクの実インク量ｉを（ｐ／２＋１）以下の量子化数に量子化処理する（ｐは記録走査数）。量子化処理した結果の量子化数をドット数とする。尚、量子化数の最大値は、分離するインク毎の層数をＹとし、（ｐ／Ｙ＋１）の式によって決定する。例えば、図１３（ｂ）に示すように、下地となるクリアインク、カラーインク、上地となるクリアインクの３層の場合には、Ｙ＝３とし（ｐ／３＋１）以下の量子化数に量子化処理する。
【００７５】
本実施例は８回の記録走査を行う例（記録走査数ｐ＝８）であるので、カラーインクを前半４回の記録走査、クリアインクを後半４回の記録走査で記録する。そのため、各インクを０〜４の値に量子化処理する。実インク量をｉ（ｉ＝Ｃ、Ｍ、Ｙ、Ｋ、ＣＬ）とした場合の量子化結果Ｎｉの例を式（７Ａ）〜（７Ｅ）に示す。上述した通り、量子化処理された結果を、各インクのドット数Ｎｉとする。
Ｎｉ＝０  （ｉ＜５１）・・・式（７Ａ）
Ｎｉ＝１  （５１≦ｉ＜１０２）・・・式（７Ｂ）
Ｎｉ＝２  （１０２≦ｉ＜１５３）・・・式（７Ｃ）
Ｎｉ＝３  （１５３≦ｉ＜２０４）・・・式（７Ｄ）
Ｎｉ＝４  （２０４≦ｉ）・・・式（７Ｅ）
【００７６】
選択されたインクのドット数Ｎｉを算出後に、算出したドット数の累計と最大ドット数Ｎ＿Ｍａｘの比較を行う。そして、第１領域におけるドット数への変換を、ドット数の累計が最大ドット数Ｎ＿Ｍａｘを超えるか、全てのインク色をドット数に変換処理するまで行う。上記の通り、繰り返し処理を行い、ドット数に変換されずに残った仮想インク量Ｖｃ、Ｖｍ、Ｖｙを色差情報ΔＶｃ、ΔＶｍ、ΔＶｙとして第２決定部２０８に送る。
【００７７】
次に、各インクのドット数ＮＣ、ＮＭ、ＮＹ、ＮＫ、ＮＣＬを記録走査毎に分配処理し、ドット配置を決定する方法について述べる。
【００７８】
各インクのドット数のうち、カラーインクを表すＮＣ、ＮＭ、ＮＹ、ＮＫについては式（８Ａ）〜（８Ｅ）を基に分配処理する。具体的には、ｉ（ｉ＝Ｃ、Ｍ、Ｙ、Ｋ）インクのドットをｉインクの記録走査１〜８（ｉ＿１〜８）に分配する。分配した結果、それぞれの記録走査における対象画素にドットを記録するなら１、記録しないなら０を記録しドット配置とする。
ｉ＿１〜ｉ＿８＝０（Ｎｉ＝０）・・・式（８Ａ）
ｉ＿１＝１、ｉ＿２〜ｉ＿８＝０（Ｎｉ＝１）・・・式（８Ｂ）
ｉ＿１〜ｉ＿２＝１、ｉ＿３〜ｉ＿８＝０（Ｎｉ＝２）・・・式（８Ｃ）
ｉ＿１〜ｉ＿３＝１、ｉ＿４〜ｉ＿８＝０（Ｎｉ＝３）・・・式（８Ｄ）
ｉ＿１〜ｉ＿４＝１、ｉ＿５〜ｉ＿８＝０（Ｎｉ＝４）・・・式（８Ｅ）
【００７９】
各インクのドット数のうち、クリアインクを表すＮＣＬについては式（９Ａ）〜（９Ｅ）を基に分配処理する。具体的にはＣＬインクのドットをＣＬインクの記録走査１〜８（ＣＬ＿１〜８）に分配する。分配した結果、それぞれの記録走査における対象画素にドットを記録するなら１、記録しないなら０を記録しドット配置とする。
ＣＬ＿１〜ＣＬ＿８＝０（ＮＣＬ＝０）・・・式（９Ａ）
ＣＬ＿１〜７＝０、ＣＬ＿８＝１（ＮＣＬ＝１）・・・式（９Ｂ）
ＣＬ＿１〜ＣＬ＿６＝０、ＣＬ＿７〜ＣＬ＿８＝１（ＮＣＬ＝２）・・・式（９Ｃ）
ＣＬ＿１〜ＣＬ＿５＝０、ＣＬ＿６〜ＣＬ＿８＝１（ＮＣＬ＝３）・・・式（９Ｄ）
ＣＬ＿１〜ＣＬ＿４＝０、ＣＬ＿５〜ＣＬ＿８＝１（ＮＣＬ＝４）・・・式（９Ｅ）
【００８０】
上記に示すとおり、カラーインクとクリアインクで分配方法を変更する。その結果、全８回の記録走査の中で前半４回をカラーインクの記録、後半４回をクリアインクの記録と分離する。インク毎に記録走査を分離することで、図１３（ａ）に示すようなカラーインク上にクリアインクを記録するインク構造を実現することが可能となる。
【００８１】
以上説明した処理制御を行うことで、第１領域のドット配置を決定することができる。次に、第２領域のドット配置の決定方法について述べる。
【００８２】
第２決定部２０８は、第２領域においてドットを記録するか否かを定めた各インクのドット配置ＨＣ２、ＨＭ２、ＨＹ２、ＨＫ２を決定する。具体的には、仮想インク量Ｖｃ、Ｖｍ、Ｖｙと光沢信号Ｇｌｏｓｓに加え、第１決定部２０６で算出した色差情報ΔＶｃ、ΔＶｍ、ΔＶｙを基にドット配置を決定する。
【００８３】
各インクのドット配置ＨＣ２、ＨＭ２、ＨＹ２、ＨＫ２の決定処理では、まず仮想インク量Ｖｃ、Ｖｍ、Ｖｙと色差情報ΔＶｃ、ΔＶｍ、ΔＶｙとを加算する。加算した仮想インク量と光沢信号Ｇｌｏｓｓを基に対象画素に記録する総ドット数を算出し、次に算出した総ドット数を記録走査毎に分配処理することで決定する。仮想インク量Ｖｃ、Ｖｍ、Ｖｙからカラーインクのドット配置を決定する処理は対象画素が異なるだけで、第１決定部２０６の処理と同様のため説明を省略する。
【００８４】
合成部２０９は、実施例１のＳ４０６と同様に、入力された第１領域の各インクのドット配置ＨＣ１、ＨＭ１、ＨＹ１、ＨＫ１、ＨＣＬ１と第２領域の各インクのドット配置ＨＣ２、ＨＭ２、ＨＹ２、ＨＫ２を加算し、合成する。合成した結果を入力データに対応した各インクのドット配置ＨＣ、ＨＭ、ＨＹ、ＨＫ、ＨＣＬとする。図１２（ａ）に第１領域のドット配置ＨＫ１、ＨＣＬ１、図１２（ｂ）に第２領域のドット配置ＨＫ２、図１２（ｃ）に合成後のドット配置をＨＫ、ＨＣＬの一例を示す。ｉ＿１〜ｉ＿８（ｉ＝Ｋ、ＣＬ）がｉインクの記録走査毎のドット配置を示す。
【００８５】
以上説明した処理制御を行うことで、実インク量の決定処理でなくドット配置の決定処理において、第１領域で発生した色差を算出し、算出した色差と対応する色信号とに基づいて第２領域におけるドット配置を決定する。その結果、光沢の制御範囲の拡大と領域毎の色差低減を実現し、記録媒体上で色の再現と光沢の再現を両立することができる。
【００８６】
尚、上記実施例では光沢インクとしてクリアインクを例に説明したが、これに限らず、クリアインクの代りにメタリックインクでも適用可能である。また、入力画像中のオブジェクトやコンテンツ等によって、クリアインクの種類を切替えても良い。あるいは、光沢信号（光沢の鮮鋭度を表す光沢、光沢の強度を表す光沢強度、光沢の反射方向を表す光沢反射方向）に応じてクリアインクの種類を選択しても良い。
【００８７】
尚、上記実施例では記録走査数をカラーインクとクリアインクで均等に分配する例を述べたが分配方法は上記の一例に限定されない。記録するインク毎の分離が実現できれば良く、カラーインクによる色の表現範囲を重視する場合には、カラーインクの記録走査数の割合を増やしても良い。
【００８８】
［その他の実施例］
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８９】
１  画像処理装置
２０１  データ入力端子
１０５  データ出力端子
２０３  第１算出部
２０４  第２算出部
【図１】
2018051971.tif 000003
【図２】
2018051971.tif 000004
【図３】
2018051971.tif 000005
【図４】
2018051971.tif 000006
【図５】
2018051971.tif 000007
【図６】
2018051971.tif 000008
【図７】
2018051971.tif 000009
【図８】
2018051971.tif 000010
【図９】
2018051971.tif 000011
【図１０】
2018051971.tif 000012
【図１１】
2018051971.tif 000013
【図１２】
2018051971.tif 000014
【図１３】
2018051971.tif 000015
【図１４】
2018051971.tif 000016
【図１５】
2018051971.tif 000017